(57)【特許請求の範囲】
【請求項１】
ビニルハウスの屋根部シート等へ降った雨水の集水、利水構造を備えたビニルハウスであって、
前記ビニルハウスの屋根肩部又は側壁部の棟方向に配置されたシート止め材に沿ってその外側に、ビニルハウスの棟方向に連続する形状の樋部材が配置され、その支持部が前記シート止め材の止着溝の中へ前記屋根部シート又は側壁部シートよりも内側に入れ込まれ、シート止め線によりシートと共に前記支持部が固定されて成り、シート止め材へシート止め線により止着された屋根部シート又は側壁部シートの下方部が前記樋部材の中へ導かれ、屋根部シート等から流れ落ちる雨水を樋部材で受ける構成とされており、前記樋部材の流れ勾配の下流部位に雨水の集水手段及び利水手段が設けられていることを特徴とする、集水・利水構造を備えたビニルハウス。
【請求項２】
樋部材は、シート止め材の止着溝へ嵌め込み可能に縦断面を略Ｚ字形状に立ち上げて形成された支持部と、屋根部シート又は側壁部シートから流れ落ちる雨水を受け止める樋本体部とで構成されていることを特徴とする、請求項１に記載した集水・利水構造を備えたビニルハウス。
【請求項３】
ビニルハウスの屋根部シート等へ降った雨水の集水・利水構造を備えたビニルハウスであって、
前記ビニルハウスの屋根肩部又は側壁部の棟方向に配置されたシート止め材に沿ってその外側に、一定の間隔を空けて複数の樋受け部材が配置され、その支持部が前記シート止め材の止着溝の中へ前記屋根部シート又は側壁部シートよりも内側に入れ込まれ、シート止め線によりシートと共に前記支持部が固定され、前記複数の樋受け部材の樋受け部へ樋材が載置されており、シート止め材へシート止め線により止着された屋根部シート又は側壁部シートの下方部が前記樋材の中へ導かれ、前記屋根部シート等から流れ落ちる雨水を樋材で受ける構成とされており、前記屋根部シート又は側壁部シートの下方端部は樋受け部材の外側端部に形成されたパイプ支持部に支持されたパイプ材に巻き付けられパッカー等の止着手段により固定されており、前記樋材の流れ勾配の下流部位に雨水の集水手段及び利水手段が設けられていることを特徴とする、集水・利水構造を備えたビニルハウス。
【請求項４】
樋受け部材は、一側にシート止め材の止着溝へ嵌め込み可能に縦断面を略Ｚ字形状に立ち上げて形成された支持部を備え、中央部が、樋材を載置可能な形状に形成された樋受け部とされ、他側にはパイプを支持可能な半円形状に形成されたパイプ支持部を備えた構成であることを特徴とする、請求項３に記載した集水・利水構造を備えたビニルハウス。
【請求項５】
樋受け部材に支持された樋材は樋受け部材とビス止め等の止着手段で固定されていることを特徴とする、請求項３又は４に記載した集水・利水構造を備えたビニルハウス。
【請求項６】
集水手段は、樋部材又は樋材を流れてきた雨水を導く集水処理部材と、同集水処理部材と連結されたホース材と、同ホース材から導かれた雨水を溜める貯水槽とから成り、利水手段は前記ホース材又は貯水槽の雨水をビニルハウス内の作物へ導き給水する散水管で成ることを特徴とする、請求項１又は３に記載した集水・利水構造を備えたビニルハウス。
【発明の詳細な説明】
【技術分野】
【０００１】
この発明は、ビニルハウスの屋根部シート及び側壁部シートに降った雨水を利用する集水・利水構造を備えたビニルハウスの技術分野に属し、更に云うと、ビニルハウスの屋根肩部又は側壁下部に配置されたシート止め材へ樋部材又は樋受け部材を取り付けて雨水を集め有効利用する集水・利水構造に関する。
【背景技術】
【０００２】
従来から、ビニルハウスの屋根部シートに降った雨水を処理する技術は開示されて公知である。
例えば、特許文献１には、図７に示すように換気用開口７０から落下する雨水を受け止める樋体７１が、ビニルハウスの構造材７２（パイプ材）に支持された吊支装置７３により取り付けて屋根部シートへ降り注いだ雨水が前記樋体７１を流れる構造が開示されている。
【特許文献１】特開２００４−３５０５０６号公報
【発明の開示】
【発明が解決しようとする課題】
【０００３】
上記特許文献１のように、ビニルハウスの所定箇所に樋体を設置して雨水を処理することも一案であるが、この従来技術は換気用開口７０が設けられている大型のビニルハウスにのみ実施できるものでしかない。例えば前記換気用開口７０が設けられていない小型のビニルハウス等には実施できない技術である。また樋体７１は吊支装置７３により取り付けられるものであり、更には線状部材７４ａ、７４ｂ、係着部材７５、枢着部７６等多数の部材を介する必要がある。したがって、ビニルハウスの屋根部の高い位置で、上記樋体７１を吊り下げ設置することは非常に面倒であるし、吊り下げる際に樋体７１の勾配等を考慮した位置決めには熟練した技術が必要である。のみならず、部材点数が多いためコストも嵩むという問題点がある。
【０００４】
更に、上記従来の技術は単に雨水を樋体により排水するのみであり、その雨水を溜めてビニルハウス内の植物に必要な水として供給する等の利水を考慮したものでは無いから甚だもったいない。というのも、ビニルハウスで栽培する各種作物は大量の養水を必要とし、そうした水の運搬、給水に苦労しているからである。
【０００５】
本発明の目的は、新設又は既設ビニルハウスのシート止め材の止着溝内へ樋部材又は樋材を取り付けて、同ビニルハウスの屋根等に降った雨水を集水し、作物へ供給することで、水の供給に掛かるコスト及び労力を飛躍的に低減させる集水・利水構造を備えたビニルハウスを提供することにある。
【課題を解決するための手段】
【０００６】
上述した従来技術の課題を解決するための手段として、請求項１に記載した発明に係る集水・利水構造を備えたビニルハウスは、
ビニルハウスの屋根部シート等へ降った雨水の集水、利水構造を備えたビニルハウスであって、
前記ビニルハウスの屋根肩部又は側壁部の棟方向に配置されたシート止め材に沿ってその外側に、ビニルハウスの棟方向に連続する形状の樋部材が配置され、その支持部が前記シート止め材の止着溝の中へ前記屋根部シート又は側壁部シートよりも内側に入れ込まれ、シート止め線によりシートと共に前記支持部が固定されて成り、シート止め材へシート止め線により止着された屋根部シート又は側壁部シートの下方部が前記樋部材の中へ導かれ、屋根部シート等から流れ落ちる雨水を樋部材で受ける構成とされており、前記樋部材の流れ勾配の下流部位に雨水の集水手段及び利水手段が設けられていることを特徴とする。
【０００７】
請求項２記載の発明は、請求項１に記載した集水・利水構造を備えたビニルハウスにおいて、
樋部材は、シート止め材の止着溝へ嵌め込み可能に縦断面を略Ｚ字形状に立ち上げて形成された支持部と、屋根部シート又は側壁部シートから流れ落ちる雨水を受け止める樋本体部とで構成されていることを特徴とする。
【０００８】
請求項３に記載した発明に係る集水・利水構造を備えたビニルハウスは、
ビニルハウスの屋根部シート等へ降った雨水の集水・利水構造を備えたビニルハウスであって、
前記ビニルハウスの屋根肩部又は側壁部の棟方向に配置されたシート止め材に沿ってその外側に、一定の間隔を空けて複数の樋受け部材が配置され、その支持部が前記シート止め材の止着溝の中へ前記屋根部シート又は側壁部シートよりも内側に入れ込まれ、シート止め線によりシートと共に前記支持部が固定され、前記複数の樋受け部材の樋受け部へ樋材が載置されており、シート止め材へシート止め線により止着された屋根部シート又は側壁部シートの下方部が前記樋材の中へ導かれ、前記屋根部シート等から流れ落ちる雨水を樋材で受ける構成とされており、前記屋根部シート又は側壁部シートの下方端部は樋受け部材の外側端部に形成されたパイプ支持部に支持されたパイプ材に巻き付けられパッカー等の止着手段により固定されており、前記樋材の流れ勾配の下流部位に雨水の集水手段及び利水手段が設けられていることを特徴とする。
【０００９】
請求項４記載の発明は、請求項３に記載した集水・利水構造を備えたビニルハウスにおいて、
樋受け部材は、一側にシート止め材の止着溝へ嵌め込み可能に縦断面を略Ｚ字形状に立ち上げて形成された支持部を備え、中央部が、樋材を載置可能な形状に形成された樋受け部とされ、他側にはパイプを支持可能な半円形状に形成されたパイプ支持部を備えた構成であることを特徴とする。
【００１０】
請求項５記載の発明は、請求項３又は４に記載した集水・利水構造を備えたビニルハウスにおいて、
樋受け部材に支持された樋材は樋受け部材とビス止め等の止着手段で固定されていることを特徴とする。
【００１１】
請求項６記載の発明は、請求項１又は３に記載した集水・利水構造を備えたビニルハウスにおいて、
集水手段は、樋部材又は樋材を流れてきた雨水を導く集水処理部材と、同集水処理部材と連結されたホース材と、同ホース材から導かれた雨水を溜める貯水槽とから成り、利水手段は前記ホース材又は貯水槽の雨水をビニルハウス内の作物へ導き給水する散水管で成ることを特徴とする。
【発明の効果】
【００１２】
請求項１〜６に記載した発明に係る集水・利水構造を備えたビニルハウスは、屋根部シート又は側壁部シートに降った雨水を効率良く集水でき、作物の養水として有効に利用できる。斯くすると、水の供給に掛かるコスト及び労力を飛躍的に低減でき、環境に優しいものとなる。また、新設又は既設ビニルハウスのシート止め材を利用して構築できるので、ビニルハウスの大きさや形状に左右されることなく、一般家庭で使用する小型のビニルハウスであっても容易に実施することができる。
【００１３】
特に請求項３〜５に記載した発明によれば、樋部材又は樋材等の長さや形状等を自由に設計、製作又は改造ができ、個人のニーズに合わせた集水・利水構造を実現することができる。樋材は既往のものや、個人で工作したものでも良く、汎用性が高い。また、屋根部シートの端部処理をパッカーにより行えるので、非常に簡易であるし、シートの張りがゆるんだ場合には直ぐに修正することができる。
【発明を実施するための最良の形態】
【００１４】
ビニルハウス１の屋根部シート４０へ降った雨水の集水・利水構造を備えたビニルハウスである。
前記ビニルハウス１の屋根肩部又は側壁部の棟方向に配置されたシート止め材５に沿ってその外側に、ビニルハウス１の棟方向に連続する形状の樋部材６が配置され、その支持部６０が前記シート止め材５の止着溝５０の中へ、前記屋根部シート４０又は側壁部シート４１よりも内側に入れ込まれ、シート止め線７によりシート４０、４１と共に前記支持部６０が固定されて成る。シート止め材５へシート止め線７により止着された屋根部シート４０又は側壁部シート４１の下方部４０ａが樋部材の中へ導かれ、屋根部シート４０等から流れ落ちる雨水を樋部材で受ける構成とし、前記樋部材６の流れ勾配下流部位に雨水の集水手段８及び利水手段９が設けられている。
【実施例１】
【００１５】
以下、本発明に係る集水・利水構造を備えたビニルハウスの実施例を図１〜図３に基づいて説明する。
図１は、透光性のシート材をハウス骨組へ定着したビニルハウス１を概念的に示している。このビニルハウス１は、アーチ状構造材２を棟方向に共通な姿勢で一連に多数並設し、これらのアーチ状構造材２の屋根部へ棟パイプ部材３を配置し、図示を省略した連結具により連結して強固なハウス骨組が作られている。同アーチ状構造材２の屋根肩部及び側壁部（以下、同じ）に屋根部シート４０及び側壁部シート４１を固定するシート止め材５が、棟方向に、やはり図示省略の連結具で取り付けられ、各々に各シート４０、４１をバネ性で波形状のシート止め線７により止着して張り付けた構成としている。
【００１６】
本実施例は、主にビニルハウスの屋根肩部に配置されたシート止め材５と屋根部シート４０に実施した例を示すが、側壁部に設置したシート止め材５と側壁部シート４１についても同様に実施されることを申し添える。
【００１７】
上記構成のビニルハウス１の屋根肩部の棟方向に配置されたシート止め材５に沿ってその外側に、ビニルハウス１の棟方向に連続する形状の樋部材６が配置されている。
前記樋部材６は、具体的には図２Ａ、図２Ｂに示すように、シート止め材５の止着溝５０へ嵌め込み可能に縦断面を略Ｚ字状に立ち上げて形成された支持部６０と、樋本体部６１とで構成されている。図２Ａと図３の樋本体部６１は角形断面で、図２Ｂの樋本体部６１は半円断面に形成されている。前記支持部６０は、シート止め材５の止着溝５０の中へ嵌め込まれるべく、その断面形状が若干くの字形状に湾曲され、止着溝５０の上下隅部と密接する構成とされている。また、支持部６０の止着溝５０の上隅部に当たる先端箇所は、支持力を保持するように、止着溝５０の上隅へ突き当たる構成が好ましく、その場合、シート保護の観点からは内側へ折り返す構成とすることがより好ましい。勿論、前記の限りではなく、支持部６０の先端が上隅部と密接しない長さに形成して実施することもできる。
【００１８】
上記のような樋部材６の支持部６０は、前記シート止め材５の止着溝５０内へ、前記屋根部シート４０（又は側壁部シート４１、以下同じ。）よりも内側に入れ込まれ、シート止め線７により屋根部シート４０と共に固定される。具体的には、支持部６０を前記シート止め材５の止着溝５０の中へ嵌め入れた後、シート止め線７で屋根部シート４０を同止着溝５０内の支持部６０の上へ押し込むように挿入し固定する。
【００１９】
上記のようにしてシート止め材５へシート止め線７により止着した屋根部シート４０の下方部４０ａは、前記樋部材６の樋本体部６１の中へ導き入れ、屋根部シート４０から流れ落ちる雨水は樋本体部６１で受け止められる構成とされている。屋根部シート４０の下方部４０ａの先端部は、棟方向の所定箇所に配置した両面テープ等の固定手段（図示省略）で固定する。また、前記下方部４０ａの長さは、樋本体部６１の一側面（ビニルハウス側）の範囲内に納まって端部処理を簡便にすることが好ましい。
【００２０】
前記樋部材６の流れ勾配の下流部位には、図１に示すように屋根部シート４０から流れ落ちた雨水の集水手段８及び利水手段９が設けられている。
前記集水手段８は、樋部材６を流れてきた雨水を受け止めて下方へ導く集水処理部材８０（端部処理金具）と、同集水処理部材８０と連結されたホース材８１、及び同ホース材８１で導かれた雨水を溜める貯水槽８２から成る。また、利水手段９は、ホース材８１の途中から、又は同貯水槽８２の雨水をビニルハウス１内の作物へ導き給水する散水管である（請求項６記載の発明）。
【００２１】
前記利水手段９は例えば図１に示したように、雨水を散水できる複数の小孔が棟方向に一定の間隔で設けられた散水管とするほかスプリンクラーとして実施してもよい。
前記ホース材８１は、外の樋部材６の位置から、ビニルハウス１内へ、側壁部シート４１の繋ぎ目を利用して、又はシートに挿入口を設けて同ハウス１内へ導き入れ、前記貯水槽８２と接続される。勿論、ビニルハウス１内の広さに制限がある場合には貯水槽８２を前記ハウス１の外へ設置し、ホース材８１も同ハウス１の外へ設置して実施することもできる。
【００２２】
本発明は、単にビニルハウス１の屋根部シート４０へ降った雨水を集める機能だけでなく、集めた雨水をビニルハウス１内の作物へ供給して利用するので節水に寄与し、環境に優しい設備となる。
【実施例２】
【００２３】
次に、請求項３及び４に記載した発明に係る集水・利水構造を備えたビニルハウスの実施例を図面に基づいて説明する。本実施例２は、上述した実施例１と略同様の技術的思想であるため、重複する部分の説明は省き、その相違点を中心に説明する。
【００２４】
実施例２の集水・利水構造は、図４〜図６に示すように、ビニルハウス１の屋根肩部又は側壁部に棟方向に配置されたシート止め材５に沿ってその外側に、棟方向に一定の間隔を空けて樋受け部材１１が配置され、その支持部１１０がシート止め材５の止着溝５０の中へ、屋根部シート４０（又は側壁部シート４１、以下同じ。）よりも内側へ入れ込まれ、シート止め線７により屋根部シート４０と共に前記支持部１１０が固定されている。そして、前記のようにして固定した複数の樋受け部材１１の樋受け部１１１へ樋材１２が載置されている。
【００２５】
シート止め材５へシート止め線７により止着された屋根部シート４０の下方部４０ａが樋材１２の上へ図５Ａ、図５Ｂのように導かれ、樋材１２と共に樋を形成して、屋根部シート４０から流れ落ちる雨水を受ける構成とされている。同屋根部シート４０の端部は、樋受け部１１１の外側端部に形成されたパイプ支持材１１２へ取り付けて支持されたパイプ材１３へ巻き付け、パッカー１４を嵌めることにより固定されている。
【００２６】
上記樋受け部材１１は、特に図５Ａ、図５Ｂに示すように、内側端部にシート止め材５の止着溝５０へ嵌め込み可能な略Ｚ字形状に形成された支持部１１０が設けられ、樋受け部１１１の外側端部に支持パイプを支持可能な半円形状のパイプ支持部１１２が設けられている。前記支持部１１０及び樋受け部１１１は、上述した樋部材６の支持部６０、樋本体部６１と略同様の断面形状とされている。
【００２７】
前記パイプ支持部１１２には、シート止め材５へシート止め線７により止着された屋根部シート４０の下方部４０ａが、前記樋材１２の上面に沿って溝形状に配置された上で、前記パイプ支持部１１２に支持されたパイプ材１３に巻き付けられ、パッカー１４を嵌めて固定されるように、その先端に前記パッカー１４の滑り落ちを防止する固定部１１２ａが形成されている。図示例では、前記パイプ支持部１１２がパイプ１３を下方から支持する構成とされているが、この限りではなく、上方から支持する上下対称とする構成として実施しても良い。
【００２８】
上記構成の樋受け部材１１は、例えば幅が約１０〜２０ｃｍで、棟方向に例えば約２ｍの間隔を空けて複数シート止め材５へ嵌め込まれることが好ましい。
【００２９】
樋材１２は、一般的に販売されている角形断面や半円断面、又はＶ字形断面の既成樋材でよい。樋受け部材１１の樋受け部１１１の形状が角形断面である場合には、樋材１２は角形断面又は半円断面のいずれでも実施できる利点がある。樋材１２は、樋受け部材１１とビス止め等の止着手段１５で強固に固定されている（請求項５記載の発明）。もっとも、図示することは省略したが樋受け部材１１の樋受け部１１１の樋材１２の上隅部が当たる箇所に段差の如きストッパーを設けた構成で実施することもできる。
【００３０】
樋材１２は、図４に示すように、その端部は最も端位置に配置された樋受け部材１１よりも長く突き出されており、その突き出した部分に、実施例１のように集水処理部材８０を連結し、ホース材８１を介して貯水槽８２へ雨水を集水し、散水管９によりビニルハウス１内の植物へ水を再利水できる、集水手段８及び利水手段９を備えた構成とする。
【実施例３】
【００３１】
上記実施例１及び実施例２では、シート止め材５と樋部材６と樋受け部材１１は、それぞれ別々の部材で互いを嵌め合わせる構成としたが、同樋部材６又は樋受け部材１１とシート止め材５とを一体的に形成した構成で実施することもできる。
【００３２】
本発明は、上記のような構成とされているので、新設又は既設のビニルハウスに等しく実施でき、特に一般家庭において使用される小型のビニルハウスにも好適に実施できる。小型のビニルハウスには通例給水装置が具備されておらず、使用者が家から水を運び、又は水道水をホース等で導いていることが多いからである。本発明はそうした小型のビニルハウスにも好適に実施できる。
【００３３】
以上に実施形態を図面に基づいて説明したが、本発明は、図示例の限りではなく、その技術的思想を逸脱しない範囲において、当業者が通常に行う設計変形、応用のバリエーションの範囲を含むことを念のため付言する。
【図面の簡単な説明】
【００３４】
【図１】本発明に係る集水・利水構造を備えたビニルハウスの全体構成の概略の一例を示した図である。
【図２】Ａ、Ｂはシート止め材へ樋部材及び屋根部シート等を入れ込んだ状態を示す拡大側面図である。
【図３】図２Ａの斜視図である。
【図４】本発明に係る集水・利水構造を備えたビニルハウスの全体構成の概略の他の実施例を示した図である。
【図５】Ａ、Ｂはシート止め材へ樋受け部材及び屋根部シート等を入れ込んだ状態を示す拡大側面図である。
【図６】図５の斜視図である。
【図７】従来技術の一例を示した参考図である。
【符号の説明】
【００３５】
１        ビニルハウス
２        アーチ状構造材
４０      屋根部シート
４０ａ    下方部
４１      側壁部シート
５        シート止め材
５０      止着溝
６        樋部材
６０      支持部
６１      樋本体部
７        シート止め線
８        集水手段
９        利水手段
１１      樋受け部材
１１０    支持部
１１１    樋受け部
１１２    パイプ支持部
１２      樋材
１３      パイプ材
１４      パッカー
【図１】
0004787074.tif 000002
【図２】
0004787074.tif 000003
【図３】
0004787074.tif 000004
【図４】
0004787074.tif 000005
【図５】
0004787074.tif 000006
【図６】
0004787074.tif 000007
【図７】
0004787074.tif 000008